(57)【要約】  照明装置は、直列に結合された複数のＬＥＤを有する。照明装置では、第１のＬＥＤ組立品は、第１の種類のＬＥＤの接合温度の第１の関数に応じて減少する第１の光束出力を有する第１の種類のＬＥＤを含む。第２のＬＥＤ組立品は、第２の種類のＬＥＤの接合温度の第２の関数に応じて減少する第２の光束出力を有する第２の種類のＬＥＤを含み、第２の関数は、第１の関数と異なる。第１の種類のＬＥＤ及び第２の種類のＬＥＤの少なくとも１つは、温度に依存する抵抗値を有する抵抗器組立品に並列に結合される。抵抗値の温度依存性は、第１のＬＥＤ組立品及び第２のＬＥＤ組立品の異なる接合温度における、第１の光束出力の第２の光束出力に対する比を安定化させる。
2013522819.tif 000002
【特許請求の範囲】
【請求項１】
複数の発光ダイオードＬＥＤを有する照明装置であって、当該照明装置は：
第１の種類のＬＥＤの接合温度の関数として変化する第１の光束出力を有する少なくとも１つの前記第１の種類のＬＥＤを含む第１のＬＥＤ組立品；
第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品；
を有し、
前記第１のＬＥＤ組立品は前記第２のＬＥＤ組立品に直列に結合され、前記第１の種類のＬＥＤ及び前記第２の種類のＬＥＤの少なくとも１つは、温度に依存する抵抗値を有する抵抗器組立品に並列に接続され、前記抵抗値の温度依存性は、所定の範囲内で、前記第１のＬＥＤ組立品及び前記第２のＬＥＤ組立品の異なる接合温度において、前記第１の光束出力の前記第２の光束出力に対する比を安定化させるよう適応される、照明装置。
【請求項２】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、前記第１の抵抗器組立品は、前記第１のＬＥＤ組立品の少なくとも１つのＬＥＤに並列に結合され、前記第１の抵抗器組立品の抵抗値は、前記第１の抵抗器組立品の温度の上昇に伴い増大する、請求項１に記載の照明装置。
【請求項３】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、前記第２の抵抗器組立品は、前記第２のＬＥＤ組立品の少なくとも１つのＬＥＤに並列に結合され、前記第２の抵抗器組立品の抵抗値は、前記第２の抵抗器組立品の温度の上昇に伴い減少する、請求項１に記載の照明装置。
【請求項４】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、第１の抵抗器組立品は、前記第１のＬＥＤ組立品の少なくとも１つのＬＥＤに並列に結合され、第２の抵抗器組立品は、前記第２のＬＥＤ組立品の少なくとも１つのＬＥＤに並列に結合され、前記第１の抵抗器組立品の抵抗値は、前記第１の抵抗器組立品の温度の上昇に伴い増大し、前記第２の抵抗器組立品の抵抗値は、前記第２の抵抗器組立品の温度の上昇に伴い減少する、請求項１に記載の照明装置。
【請求項５】
前記第１の抵抗器組立品は、正の温度係数ＰＴＣの抵抗器を有する、請求項２又は４に記載の照明装置。
【請求項６】
前記第２の抵抗器組立品は、負の温度係数ＮＴＣの抵抗器を有する、請求項３又は４に記載の照明装置。
【請求項７】
前記第１の種類のＬＥＤは、第１の色を有する光を生成するよう適応され、前記第２の種類のＬＥＤは、前記第１の色と異なる第２の色を有する光を生成するよう適応される、請求項１乃至６のいずれか一項に記載の照明装置。
【請求項８】
前記抵抗器組立品と、前記抵抗器組立品に並列に結合された前記第１の種類のＬＥＤ及び前記第２の種類のＬＥＤの少なくとも１つとは、熱的に結合される、請求項１乃至７のいずれか一項に記載の照明装置。
【請求項９】
前記第１のＬＥＤ組立品及び前記第２のＬＥＤ組立品の接合は、熱的に結合される、請求項１乃至８のいずれか一項に記載の照明装置。
【請求項１０】
前記第１の種類のＬＥＤは、ＡｌＩｎＧａＰ型ＬＥＤである、請求項１乃至９のいずれか一項に記載の照明装置。
【請求項１１】
前記第１の種類のＬＥＤは、ＩｎＧａＮ型ＬＥＤである、請求項１乃至１０のいずれか一項に記載の照明装置。
【請求項１２】
複数の発光ダイオードＬＥＤを有する照明装置の製造方法であって、当該方法は：
第１の種類のＬＥＤの接合温度の関数として変化する第１の光束出力を有する少なくとも１つの前記第１の種類のＬＥＤを含む第１のＬＥＤ組立品を設けるステップ；
第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品を設けるステップ；
前記第１のＬＥＤ組立品を前記第２のＬＥＤ組立品に直列に結合するステップ；
前記第１の種類のＬＥＤ及び前記第２の種類のＬＥＤの少なくとも１つを、温度に依存する抵抗値を有する抵抗器組立品に並列に接続するステップ；
所定の範囲内で、前記第１のＬＥＤ組立品及び前記第２のＬＥＤ組立品の異なる接合温度において、前記第１の光束出力の前記第２の光束出力に対する比を安定化させるよう前記抵抗値の温度依存性を適応するステップ；
を有する方法。
【請求項１３】
部品の点灯キットであって：
電源に結合されるよう適応された入力端子を有する調光器であって、前記調光器は、可変電流を供給するよう適応された出力端子を有する、調光器；
請求項１乃至１１のいずれか一項に記載の照明装置であって、前記照明装置は、前記調光器の前記出力端子に結合されるよう構成された端子を有する、照明装置；
を有する部品の点灯キット。
【発明の詳細な説明】
【技術分野】
【０００１】
本発明は、発光ダイオード、ＬＥＤ、照明の分野に関し、より詳細には、異なるＬＥＤ種類を有し、異なる接合動作温度において色の一致を維持する回路装置を有するＬＥＤ照明装置に関する。
【背景技術】
【０００２】
ＬＥＤ照明装置には、複数のＬＥＤが利用される。オンとオフを切り替えるために設計された又は機器を調光するために設計されたＬＥＤ照明装置では、異なる種類のＬＥＤは、安定状態の動作条件で所定の色を有する光出力を得るために組み合わされる。例として、ＩｎＧａＮ型ＬＥＤをＡｌＩｎＧａＰ型ＬＥＤと組み合わせると、低い相関色温度ＣＣＴの範囲（２５００―３０００Ｋ）の効率的なＬＥＤ照明装置が得られる。
【０００３】
ＬＥＤの光束出力は、光束の出力、光出力又はルーメン出力とも称され、ＬＥＤの接合温度の関数として変化することが知られている。接合温度が上昇すると、光束出力は減少する。この現象は、光束出力低下と呼ばれる。
【０００４】
照明装置に異なるＬＥＤ種類を用いると、１つの種類のＬＥＤがその接合温度の関数として、他の種類のＬＥＤと異なる光束出力低下を示すときに問題が生じる。異なる光束出力低下は、ＬＥＤ照明装置の全光出力の中で異なるＬＥＤ種類からの異なる比率の光束出力を生じてしまう。その結果、異なる種類のＬＥＤが異なる色を放射し、照明装置が異なる接合温度のＬＥＤで異なる色の光を放射してしまう。これは望ましくない。
【０００５】
この問題の解決策は、通常、少なくとも１つ又は幾つかのＬＥＤへの供給電力の電気量を制御して、異なる種類のＬＥＤから出力される光束出力の比を、温度センサにより測定された異なる接合温度において実質的に一定に保つことにより、照明装置により出力される光の色を所定の範囲内に維持するために、温度センサとマイクロプロセッサとを有するフィードバックループを提案する。
【発明の概要】
【課題を解決するための手段】
【０００６】
異なる種類のＬＥＤを有するＬＥＤ照明装置及びその製造方法を提供することが望ましい。該装置において、単純な回路装置を用いて、異なる種類のＬＥＤからの光束出力は、異なる接合温度において実質的に一定に保つことができる。
【０００７】
この問題をより良好に解決するため、本発明の第１の態様では、複数の発光ダイオードＬＥＤを有する照明装置が提供される。当該照明装置は：第１の種類のＬＥＤの接合温度の関数として変化する第１の光束出力を有する少なくとも１つの前記第１の種類のＬＥＤを含む第１のＬＥＤ組立品；第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品；を有し、前記第１のＬＥＤ組立品は前記第２のＬＥＤ組立品に直列に結合され、前記第１の種類のＬＥＤ及び前記第２の種類のＬＥＤの少なくとも１つは、温度に依存する抵抗値を有する抵抗器組立品に並列に接続され、前記抵抗値の温度依存性は、所定の範囲内で、前記第１のＬＥＤ組立品及び前記第２のＬＥＤ組立品の異なる接合温度において、前記第１の光束出力の前記第２の光束出力に対する比を安定化させるよう適応される。
【０００８】
本発明の第２の態様では、複数の発光ダイオードＬＥＤを有する照明装置の製造方法が提供される。当該方法は：第１の種類のＬＥＤの接合温度の関数として変化する第１の光束出力を有する少なくとも１つの前記第１の種類のＬＥＤを含む第１のＬＥＤ組立品を設けるステップ；第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品を設けるステップ；前記第１のＬＥＤ組立品を前記第２のＬＥＤ組立品に直列に結合するステップ；前記第１の種類のＬＥＤ及び前記第２の種類のＬＥＤの少なくとも１つを、温度に依存する抵抗値を有する抵抗器組立品に並列に接続するステップ；所定の範囲内で、前記第１のＬＥＤ組立品及び前記第２のＬＥＤ組立品の異なる接合温度において、前記第１の光束出力の前記第２の光束出力に対する比を安定化させるよう前記抵抗値の温度依存性を適応するステップ；を有する。
【０００９】
本発明は、定電流源により電力を供給でき、変化するＬＥＤ接合温度において一定の色の光を生成するためにいかなるフィードバック制御も用いない、比較的簡易且つ安価な照明装置を提供する。
【００１０】
本発明の範囲内で、抵抗器組立品は、第１の種類のＬＥＤ少なくとも１つ、場合によっては第１の種類のＬＥＤに接続された抵抗器組立品を有しない第１の種類の第１のＬＥＤに直列接続された他の第１の種類のＬＥＤに並列に結合されてもよい。抵抗器組立品は、複数の直列接続された第１の種類のＬＥＤに、場合によっては第１の種類のＬＥＤに接続された抵抗器組立品を有しない該複数の直列接続された第１の種類のＬＥＤに直列接続された他の第１の種類のＬＥＤに並列に結合されてもよい。また、前述の構成の組合せが行われてもよい。
【００１１】
代替として、複数の直列接続された第１の種類のＬＥＤの各々は、第１の種類のＬＥＤに並列接続された自身の抵抗器組立品を有してもよい。
【００１２】
１又は複数の直列接続された第１の種類のＬＥＤについて上述した１又は複数の抵抗器組立品を含む種々の回路装置は、１又は複数の直列接続された第２の種類のＬＥＤについても可能である。また、１又は複数の直列接続された第１の種類のＬＥＤのための１又は複数の抵抗器組立品と、１又は複数の直列接続された第２の種類のＬＥＤのための１又は複数の抵抗器組立品と、を含む種々の回路装置の組合せが行われてもよい。
【００１３】
抵抗器組立品は、特に、第１の種類のＬＥＤ及び第２の種類のＬＥＤの光束出力／接合温度特性の間の差を補償するよう設計された温度に依存する抵抗値を有する。実際には、抵抗器組立品は、単一の抵抗器、又は互いに直列に、並列に若しくは部分的に直列に及び部分的に並列に接続されて適切な温度に依存する抵抗値特性を達成する複数の抵抗器を有し得る。
【００１４】
一実施形態では、前記第１の光束出力が前記第１のＬＥＤ組立品の接合温度が第１のレートで上昇するのに伴い減少するとき、前記第２の光束出力は、前記第２のＬＥＤ組立品の接合温度が前記第１のレートより低い第２のレートで上昇するのに伴い減少し、前記第１の抵抗器組立品は、前記第１のＬＥＤ組立品の少なくとも１つのＬＥＤに並列に結合されてもよく、前記第１の抵抗器組立品の抵抗値は、前記第１の抵抗器組立品の温度の上昇に伴い増大する（第１の抵抗器組立品の正の温度係数ＰＴＣの動作であり、温度係数は関連する温度範囲に渡り一定であっても一定でなくてもよい）。第１及び第２のＬＥＤ組立品の公称動作温度で（公称電流で）、第１及び第２のＬＥＤ組立品の光束出力の比は、照明装置により放射される所定の色の光をもたらす。第１及び第２のＬＥＤ組立品の公称動作温度より低い温度で、較正せずに、第２のＬＥＤ組立品により放射される光の比率に対する第１のＬＥＤ組立品により放射される光比率は、増大する。したがって、このような公称動作温度より低い温度で、第１のＬＥＤ組立品を流れる電流は減少し、第１及び第２のＬＥＤ組立品の光束比を一定に若しくは特定の範囲内に保つために、又は照明装置により放射される光の色を特定の範囲内に保つために（例えば、色シフトが所定数、例えば人間の目で許容可能な７個の標準偏差色整合（standard  deviation  of  color  matching：SDCM）ステップより少なくなるように、）、第１のＬＥＤ組立品により放射される光の比率を低下させる。第１の抵抗器組立品は、正の温度係数の挙動を有し、低い抵抗値を有することにより、これを是正する。したがって、低い温度でより多くの電流を引き出し、低い温度で第１のＬＥＤ組立品を流れる電流の望ましい低減をもたらす。したがって＜照明装置により放射される光の色は、異なる温度で原則的に同一に保たれる。
【００１５】
第１の抵抗器組立品の代わりに、又は第１の抵抗器組立品と組み合わせて、第２の抵抗器組立品は、第２のＬＥＤ組立品の少なくとも１つのＬＥＤに並列に結合されてもよい。第２の抵抗器組立品の抵抗値は、第２の抵抗器組立品の温度の上昇に伴い減少する（負の温度係数ＮＴＣの第２の抵抗器組立品の挙動であり、温度係数は関連する温度範囲に渡り一定であっても一定でなくてもよい）。第１及び第２のＬＥＤ組立品の公称動作温度より低い温度で、較正せずに、第２のＬＥＤ組立品により放射される光の比率に対する第１のＬＥＤ組立品により放射される光比率は、増大する。したがって、このような公称動作温度より低い温度で、第２のＬＥＤ組立品を流れる電流は増大し、第１及び第２のＬＥＤ組立品の光束比を一定に若しくは特定の範囲内に保つために、又は照明装置により放射される光の色を特定の範囲内に保つために（例えば、色シフトが所定数、例えば人間の目で許容可能な７個のＳＤＣＭステップより少なくなるように、）、第２のＬＥＤ組立品により放射される光の比率を増大させる。第２の抵抗器組立品は、負の温度係数の挙動を有し、高い抵抗値を有することにより、これを是正する。したがって、低い温度でより少ない電流を引き出し、第２のＬＥＤ組立品を流れる電流の望ましい増大をもたらす。
【００１６】
正の温度係数の挙動を有する第１の抵抗器組立品及び負の温度係数の挙動を有する第２の抵抗器組立品を適用する組合せでは、第１及び第２の抵抗器組立品の両方が第１及び第２のＬＥＤ組立品に対応するそれぞれの光束出力に及ぼす矯正の影響は、第１の抵抗器組立品及び第２の抵抗器組立品のうちの１つが存在しない場合よりも少ない。
【００１７】
本発明の第３の態様では、部品の点灯キットが提供される。当該キットは：電源に結合されるよう適応された入力端子を有する調光器であって、前記調光器は、可変電流を供給するよう適応された出力端子を有する、調光器；本発明の第１の態様によるＬＥＤ照明装置であって、前記照明装置は、前記調光器の前記出力端子に結合されるよう構成された端子を有する、ＬＥＤ照明装置；を有する。
【００１８】
本発明の上述の及び他の態様は、以下の詳細な説明を参照し添付の図面と共に検討されることにより直ちに及び一層理解されるだろう。図中の同様の参照符号は同様の部分を示す。
【図面の簡単な説明】
【００１９】
【図１】第１の種類の異なるＬＥＤの、正規化された光束出力（垂直軸、ルーメン／ミリワット）と接合温度（水平軸、℃）との間の関係のグラフを示す。
【図２】第２の種類の異なるＬＥＤの、正規化された光束出力（垂直軸、ルーメン／ミリワット）と接合温度（水平軸、℃）との間の関係のグラフを示す。
【図３】本発明による、矯正措置を有しない、第１の種類のＬＥＤと第２の種類のＬＥＤとを有する照明装置における、相対光束比偏差（垂直軸、無次元）と接合温度（水平軸、℃）との間の関係のグラフを示す。
【図４Ａ】電流源に結合される、本発明によるＬＥＤ照明装置の異なる実施形態の回路図を示す。
【図４Ｂ】本発明によるＬＥＤ照明装置の異なる実施形態の回路図を示す。
【図４Ｃ】本発明によるＬＥＤ照明装置の異なる実施形態の回路図を示す。
【図４Ｄ】本発明によるＬＥＤ照明装置の異なる実施形態の回路図を示す。
【図５Ａ】本発明によるＬＥＤ照明装置の異なる実施形態の別の回路図を示す。
【図５Ｂ】本発明によるＬＥＤ照明装置の異なる実施形態の別の回路図を示す。
【図５Ｃ】本発明によるＬＥＤ照明装置の異なる実施形態の別の回路図を示す。
【図５Ｄ】本発明によるＬＥＤ照明装置の異なる実施形態の別の回路図を示す。
【発明を実施するための形態】
【００２０】
ＬＥＤでは、光束出力ＦＯの変動は、所謂ホット−コールドファクタ（hot-cold  factor）により特徴付けられる。ホット−コールドファクタは、ＬＥＤの２５℃乃至１００℃の接合温度の光束損失の比率を示す。これは、図１及び図２を参照して説明される。
【００２１】
図１は、第１の種類の異なるＬＥＤ、例えばＡｌＩｎＧａｐ型ＬＥＤの変化する接合温度Ｔに対する光束出力ＦＯ１のグラフを示す。第１のグラフ１１は、赤色測光（photometric）ＬＥＤについて、接合温度Ｔが増大するにつれ、光束出力ＦＯ１が低下することを示す。第２のグラフ１２は、赤橙色測光ＬＥＤについて、接合温度Ｔが増大するにつれ、グラフ２１よりも急激に光束出力ＦＯ１が低下することを示す。第３のグラフ１３は、黄色測光ＬＥＤについて、接合温度Ｔが増大するにつれ、グラフ１１及び１２よりも更に急激に光束出力ＦＯ１が低下することを示す。
【００２２】
図２は、第２の種類の異なるＬＥＤ、例えばＩｎＧａＮ型ＬＥＤの変化する接合温度Ｔに対する光束出力ＦＯ２のグラフを示す。第１のグラフ２１は、シアン測光ＬＥＤについて、接合温度Ｔが増大するにつれ、光束出力ＦＯ２が低下することを示す。第２のグラフ２２は、緑色測光ＬＥＤについて、接合温度Ｔが増大するにつれ、グラフ２１よりも僅かに急に光束出力ＦＯ２が低下することを示す。第３のグラフ２３は、ロイヤルブルー色測光ＬＥＤについて、接合温度Ｔが増大するにつれ、グラフ２１及び２２よりも更に急激に光束出力ＦＯ１が低下することを示す。第４のグラフ２４は、白色測光ＬＥＤについて、接合温度Ｔが増大するにつれ、グラフ２１、２２又は２３よりも更に急激に光束出力ＦＯ２が低下することを示す。第５のグラフ２５は、青色測光ＬＥＤについて、接合温度Ｔが増大するにつれ、グラフ２１、２２、２３又は２４よりも更に僅かに急に光束出力ＦＯ２が低下することを示す。
【００２３】
図１及び図２は、第１の種類のＬＥＤが第２の種類のＬＥＤよりも高いホット−コールドファクタを有することを示し、第１の種類のＬＥＤの温度に応じた光束出力の傾きが、第２の種類のＬＥＤの温度に応じた光束出力の傾きよりも大きいことを示す。
【００２４】
図１に示された第１の種類のＬＥＤ及び図２に示された第２の種類のＬＥＤは、直列接続された第１の種類のＬＥＤを含む第１のＬＥＤ組立品と、直列接続された第２の種類のＬＥＤを含む第２のＬＥＤ組立品とを有する照明装置を作成するために用いられるとする。さらに、例として、第１のＬＥＤ組立品と第２のＬＥＤ組立品との組合せは、１００℃の最大接合温度において、第１の種類のＬＥＤ及び第２の種類のＬＥＤを流れる電流が原則的に等しくなるように設計されるとする。
【００２５】
他の設計は、他の最大接合温度となってもよい。
【００２６】
図１から、１００℃において、第１の種類のＬＥＤは、第１の種類のＬＥＤの２０℃（室温）における光束の約５０％を生成することが分かる。図２から、１００℃において、第２の種類のＬＥＤは、第２の種類のＬＥＤの室温における光束の約８５％を生成することが分かる。各ＬＥＤ種類について電流と光速との間に線形関係があるとすると、照明装置の光束比を２０℃及び１００℃においてほぼ同一に保つためには、第２のＬＥＤ組立品を流れる電流が室温に置いて約０．５／０．８５の係数で減少するか、第１のＬＥＤ組立品を流れる電流が室温に置いて約０．８５／０．５の係数で増大しなければならない。他の接合温度では、図３から分かるように、他の較正係数が適用される。図３は、異なる接合温度Ｔに対する相対光束比偏差Ｆ０１／Ｆ０２を示す。
【００２７】
図４Ａ、４Ｂ、４Ｃ及び４Ｄに示されるように、調光器を含み電流Ｉを生成する定電流源又は可変電流源４０は、概ね破線で示されるＬＥＤ照明装置４２の（２つの）入力端子４１ａ、４１ｂに結合された（２つの）出力端子を有する。調光の目的で、電流源４０はパルス幅変調される。ＬＥＤＤの接合温度は、調光するとき低下する。
【００２８】
図４Ａを参照すると、照明装置４２は、破線で示された第１のＬＥＤ組立品４３ａ、破線で示された第２のＬＥＤ組立品４４ａ、を有する。第２のＬＥＤ組立品４４ａは、ノード４５を通じて第１のＬＥＤ組立品４３ａに直列に結合され、ノード４５は、第１のＬＥＤ組立品４３ａのカソードを第２のＬＥＤ組立品４４ａのアノードに接続する。第１のＬＥＤ組立品４３ａ及び第２のＬＥＤ組立品４４ａの直列接続は、ＬＥＤ照明装置４２の入力端子４１ａ、４１ｂの間に結合される。第１のＬＥＤ組立品４３ａ及び第２のＬＥＤ組立品４４ａの各々は、単一のＬＥＤを有し、第１のＬＥＤ組立品４３ａのＬＥＤは第１の種類であり、第２のＬＥＤ組立品４４ａのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００２９】
第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、入力端子４１ａとノード４５との間に結合される。
【００３０】
図４Ｂを参照すると、照明装置４２は、破線で示された第１のＬＥＤ組立品４３ｂ、破線で示された第２のＬＥＤ組立品４４ｂ、を有する。第２のＬＥＤ組立品４４ｂは、ノード４５を通じて第１のＬＥＤ組立品４３ｂに直列に結合され、ノード４５は、第１のＬＥＤ組立品４３ｂのカソードを第２のＬＥＤ組立品４４ｂのアノードに接続する。第１のＬＥＤ組立品４３ｂ及び第２のＬＥＤ組立品４４ｂの直列接続は、ＬＥＤ照明装置４２の入力端子４１ａ、４１ｂの間に結合される。第１のＬＥＤ組立品４３ｂ及び第２のＬＥＤ組立品４４ｂの各々又は少なくとも１つは、互いに接続されてＬＥＤの列を形成する１つより多いＬＥＤを有し、第１のＬＥＤ組立品４３ｂのＬＥＤは第１の種類であり、第２のＬＥＤ組立品４４ｂのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００３１】
少なくとも１つの第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、一方で入力端子４１ａと、他方で第１の種類のＬＥＤの列の２つの連続するＬＥＤ間のノードとの間に結合される。代替として、抵抗器組立品４６は、一方でノード４５と、他方で第１の種類のＬＥＤの列の２つの連続するＬＥＤ間のノードとの間に結合されてもよい。更なる代替として、抵抗器組立品４６は、一方で第１の種類のＬＥＤの列の２つの連続するＬＥＤ間のノードと、他方で第１の種類のＬＥＤの列の２つの連続するＬＥＤ間の別のノードとの間に結合されてもよい。
【００３２】
図４Ｃを参照すると、照明装置４２は、破線で示された第１のＬＥＤ組立品４３ｃ、破線で示された第２のＬＥＤ組立品４４ｃ、を有する。第２のＬＥＤ組立品４４ｃは、ノード４５を通じて第１のＬＥＤ組立品４３ｃに直列に結合され、ノード４５は、第１のＬＥＤ組立品４３ｃのカソードを第２のＬＥＤ組立品４４ｃのアノードに接続する。第１のＬＥＤ組立品４３ｃ及び第２のＬＥＤ組立品４４ｃの直列接続は、ＬＥＤ照明装置４２の入力端子４１ａ、４１ｂの間に結合される。第１のＬＥＤ組立品４３ｃ及び第２のＬＥＤ組立品４４ｃの各々又は少なくとも１つは、互いに接続されてＬＥＤの列を形成する１つより多いＬＥＤを有し、第１のＬＥＤ組立品４３ｃのＬＥＤは第１の種類であり、第２のＬＥＤ組立品４４ｃのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００３３】
少なくとも１つの第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、入力端子４１ａとノード４５との間に結合される。
【００３４】
図４Ｄを参照すると、照明装置４２は、破線で示された第１のＬＥＤ組立品４３ｄ、破線で示された第２のＬＥＤ組立品４４ｄ、を有する。第２のＬＥＤ組立品４４ｄは、ノード４５を通じて第１のＬＥＤ組立品４３ｄに直列に結合され、ノード４５は、第１のＬＥＤ組立品４３ｄのカソードを第２のＬＥＤ組立品４４ｄのアノードに接続する。第１のＬＥＤ組立品４３ｄ及び第２のＬＥＤ組立品４４ｄの直列接続は、ＬＥＤ照明装置４２の入力端子４１ａ、４１ｂの間に結合される。第１のＬＥＤ組立品４３ｄ及び第２のＬＥＤ組立品４４ｄの各々又は少なくとも１つは、互いに接続されてＬＥＤの列を形成する１つより多いＬＥＤを有し、第１のＬＥＤ組立品４３ｄのＬＥＤは第１の種類であり、第２のＬＥＤ組立品４４ｄのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００３５】
第１のＬＥＤ組立品４３ｄのＬＥＤの各々は、それぞれ概ね破線で示された抵抗器組立品４６ａ、．．．、４６ｂに並列に結合される。したがって、（第１の）抵抗器組立品４６ａは、一実施形態では単一の抵抗器４７ａを有するが、複数の抵抗器（又は抵抗器網）を有してもよく、一端が入力端子４１ａと結合される。（最後の）抵抗器組立品４６ｂは、一実施形態では単一の抵抗器４７ａを有するが、複数の抵抗器（又は抵抗器網）を有してもよく、一端がノード４５と結合される。
【００３６】
図４Ａ、４Ｂ、４Ｃ及び４Ｄに示された照明装置４２の実施形態では、第１のＬＥＤ組立品４３ａ、４３ｂ、４３ｃ及び４３ｄのＬＥＤは、それぞれ、第１のレートで増大する接合温度と共に減少する光束出力を有し、第２のＬＥＤ組立品４４ａ、４４ｂ、４４ｃ及び４４ｄのＬＥＤは、それぞれ、第２のレートで増大する接合温度と共に減少する光束出力を有し、第２のレートは第１のレートより低く、抵抗器組立品４６、４６ａ及び４６ｂの抵抗値は、それぞれ、抵抗器組立品４６、４６ａ及び４６ｂの温度の増大に伴い増大して、所定の範囲内で、第１のＬＥＤ組立品４３ａ、４３ｂ、４３ｃ及び４３ｄのそれぞれ及び第２のＬＥＤ組立品４４ａ、４４ｂ、４４ｃ及び４４ｄのそれぞれの異なる接合温度における、第１のＬＥＤ組立品４３ａ、４３ｂ、４３ｃ及び４３ｄそれぞれの光束出力の第２のＬＥＤ組立品４４ａ、４４ｂ、４４ｃ及び４４ｄそれぞれの光束出力に対する比を安定化するようにする。第１のＬＥＤ組立品４３ａ、４３ｂ、４３ｃ及び４３ｄそれぞれ並びに第２のＬＥＤ組立品４４ａ、４４ｂ、４４ｃ及び４４ｄそれぞれの接合温度が上昇すると、抵抗器組立品４６、４６ａ及び４６ｂそれぞれの温度も上昇する。その結果として、抵抗器組立品４６、４６ａ及び４６ｂそれぞれの抵抗値は増大し、第１のＬＥＤ組立品４３ａ、４３ｂ、４３ｃ及び４３ｄそれぞれの電流が相対的に多くなり、第１のＬＥＤ組立品４３ａ、４３ｂ、４３ｃ及び４３ｄそれぞれの光束出力の増大（実際には、抵抗器組立品が無い場合よりも少ない減少）をもたらす。一方で、第１のＬＥＤ組立品４３ａ、４３ｂ、４３ｃ及び４３ｄそれぞれに並列に結合された抵抗器組立品４６、４６ａ及び４６ｂそれぞれを流れる電流は減り、第２のＬＥＤ組立品４４ａ、４４ｂ、４４ｃ及び４４ｄそれぞれの電流は一定のままである。
【００３７】
図４Ａ、４Ｂ、４Ｃ及び４Ｄに示された照明装置４２の実施形態では、第１のＬＥＤ組立品４３ａ、４３ｂ、４３ｃ及び４３ｄのＬＥＤは、それぞれ、第１のレートで増大する接合温度と共に減少する光束出力を有し、第２のＬＥＤ組立品４４ａ、４４ｂ、４４ｃ及び４４ｄのＬＥＤは、それぞれ、第２のレートで増大する接合温度と共に減少する光束出力を有し、第２のレートは第１のレートより高く、抵抗器組立品４６、４６ａ、．．．、４６ｂの抵抗値は、それぞれ、抵抗器組立品４６、４６ａ、．．．、４６ｂの温度の増大に伴い減少するよう適応され、所定の範囲内で、第１のＬＥＤ組立品及び第２のＬＥＤ組立品の異なる接合温度における、第１のＬＥＤ組立品４３ａ、４３ｂ、４３ｃ及び４３ｄそれぞれの光束出力の第２のＬＥＤ組立品４４ａ、４４ｂ、４４ｃ及び４４ｄそれぞれの光束出力に対する比を安定化するようにする。第１のＬＥＤ組立品４３ａ、４３ｂ、４３ｃ及び４３ｄそれぞれ並びに第２のＬＥＤ組立品４４ａ、４４ｂ、４４ｃ及び４４ｄそれぞれの接合温度が上昇すると、抵抗器組立品４６、４６ａ及び４６ｂそれぞれの温度も上昇する。この場合、その結果として、抵抗器組立品４６、４６ａ及び４６ｂそれぞれの抵抗値は減少し、第１のＬＥＤ組立品４３ａ、４３ｂ、４３ｃ及び４３ｄそれぞれの電流が相対的に少なくなり、第１のＬＥＤ組立品４３ａ、４３ｂ、４３ｃ及び４３ｄそれぞれの光束出力の減少（実際には、抵抗器組立品が無い場合よりも多くの減少）をもたらす。一方で、第１のＬＥＤ組立品４３ａ、４３ｂ、４３ｃ及び４３ｄそれぞれに並列に結合された抵抗器組立品４６、４６ａ及び４６ｂそれぞれを流れる電流は増え、第２のＬＥＤ組立品４４ａ、４４ｂ、４４ｃ及び４４ｄそれぞれの電流は一定のままである。
【００３８】
接合温度の上昇に伴い第１及び第２のレートで減少する光束出力を有するＬＥＤ種類の例は、それぞれＡｌＩｎＧａＰ型ＬＥＤ及びＩｎＧａＮ型ＬＥＤである。
【００３９】
照明装置４２では、ＬＥＤは、第１のＬＥＤ組立品と第２のＬＥＤ組立品の接合を熱的に結合するために共通のヒートシンクに取り付けられ得る。同様に、照明装置の１又は複数の抵抗器組立品は、関連するＬＥＤ又はＬＥＤ組立品又はその一部に、特にそれらの接合に、例えば共通のヒートシンクに取り付けられることにより、熱的に結合される。したがって、ＬＥＤと１又は複数の抵抗器組立品との接合の温度は、原則的に同一であるか、又は少なくとも互いに追従する。
【００４０】
図５Ａを参照すると、照明装置４２は、破線で示された第１のＬＥＤ組立品４３ａ、破線で示された第２のＬＥＤ組立品４４ａ、を有する。第２のＬＥＤ組立品４４ａは、ノード４５を通じて第１のＬＥＤ組立品４３ａに直列に結合され、ノード４５は、第１のＬＥＤ組立品４３ａのカソードを第２のＬＥＤ組立品４４ａのアノードに接続する。第１のＬＥＤ組立品４３ａ及び第２のＬＥＤ組立品４４ａの直列接続は、ＬＥＤ照明装置４２の入力端子４１ａ、４１ｂの間に結合される。第１のＬＥＤ組立品４３ａ及び第２のＬＥＤ組立品４４ａの各々は、単一のＬＥＤを有し、第１のＬＥＤ組立品４３ａのＬＥＤは第１の種類であり、第２のＬＥＤ組立品４４ａのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００４１】
第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、入力端子４１ａとノード４５との間に結合される。
【００４２】
第２の種類のＬＥＤは、概ね破線で示された抵抗器組立品４８に並列に結合される。したがって、抵抗器組立品４８は、一実施形態では単一の抵抗器４９を有するが、複数の抵抗器（又は抵抗器網）を有してもよく、入力端子４１ｂとノード４５との間に結合される。
【００４３】
図５Ｂを参照すると、照明装置４２は、破線で示された第１のＬＥＤ組立品４３ｂ、破線で示された第２のＬＥＤ組立品４４ｂ、を有する。第２のＬＥＤ組立品４４ｂは、ノード４５を通じて第１のＬＥＤ組立品４３ｂに直列に結合され、ノード４５は、第１のＬＥＤ組立品４３ｂのカソードを第２のＬＥＤ組立品４４ｂのアノードに接続する。第１のＬＥＤ組立品４３ｂ及び第２のＬＥＤ組立品４４ｂの直列接続は、ＬＥＤ照明装置４２の入力端子４１ａ、４１ｂの間に結合される。第１のＬＥＤ組立品４３ｂ及び第２のＬＥＤ組立品４４ｂの各々又は少なくとも１つは、互いに接続されてＬＥＤの列を形成する１つより多いＬＥＤを有し、第１のＬＥＤ組立品４３ｂのＬＥＤは第１の種類であり、第２のＬＥＤ組立品４４ｂのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００４４】
少なくとも１つの第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、一方で入力端子４１ａと、他方で第１の種類のＬＥＤの列の２つの連続するＬＥＤ間のノードとの間に結合される。代替として、抵抗器組立品４６は、一方でノード４５と、他方で第１の種類のＬＥＤの列の２つの連続するＬＥＤ間のノードとの間に結合されてもよい。更なる代替として、抵抗器組立品４６は、一方で第１の種類のＬＥＤの列の２つの連続するＬＥＤ間のノードと、他方で第１の種類のＬＥＤの列の２つの連続するＬＥＤ間の別のノードとの間に結合されてもよい。
【００４５】
少なくとも１つの第２の種類のＬＥＤは、概ね破線で示された抵抗器組立品４８に並列に結合される。したがって、抵抗器組立品４８は、一実施形態では単一の抵抗器４９を有するが、複数の抵抗器（又は抵抗器網）を有してもよく、一方で入力端子４１ｂと、他方で第２の種類のＬＥＤの列の２つの連続するＬＥＤ間のノードとの間に結合される。代替として、抵抗器組立品４８は、一方でノード４５と、他方で第２の種類のＬＥＤの列の２つの連続するＬＥＤ間のノードとの間に結合されてもよい。更なる代替として、抵抗器組立品４８は、一方で第２の種類のＬＥＤの列の２つの連続するＬＥＤ間のノードと、他方で第２の種類のＬＥＤの列の２つの連続するＬＥＤ間の別のノードとの間に結合されてもよい。
【００４６】
図５Ｃを参照すると、照明装置４２は、破線で示された第１のＬＥＤ組立品４３ｃ、破線で示された第２のＬＥＤ組立品４４ｃ、を有する。第２のＬＥＤ組立品４４ｃは、ノード４５を通じて第１のＬＥＤ組立品４３ｃに直列に結合され、ノード４５は、第１のＬＥＤ組立品４３ｃのカソードを第２のＬＥＤ組立品４４ｃのアノードに接続する。第１のＬＥＤ組立品４３ｃ及び第２のＬＥＤ組立品４４ｃの直列接続は、ＬＥＤ照明装置４２の入力端子４１ａ、４１ｂの間に結合される。第１のＬＥＤ組立品４３ｃ及び第２のＬＥＤ組立品４４ｃの各々又は少なくとも１つは、互いに接続されてＬＥＤの列を形成する１つより多いＬＥＤを有し、第１のＬＥＤ組立品４３ｃのＬＥＤは第１の種類であり、第２のＬＥＤ組立品４４ｃのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００４７】
少なくとも１つの第１の種類のＬＥＤは、概ね破線で示された抵抗器組立品４６に並列に結合される。したがって、抵抗器組立品４６は、一実施形態では単一の抵抗器４７を有するが、複数の抵抗器（又は抵抗器網）を有してもよく、入力端子４１ａとノード４５との間に結合される。
【００４８】
少なくとも１つの第２の種類のＬＥＤは、概ね破線で示された抵抗器組立品４８に並列に結合される。したがって、抵抗器組立品４８は、一実施形態では単一の抵抗器４９を有するが、複数の抵抗器（又は抵抗器網）を有してもよく、入力端子４１ｂとノード４５との間に結合される。
【００４９】
図５Ｄを参照すると、照明装置４２は、破線で示された第１のＬＥＤ組立品４３ｄ、破線で示された第２のＬＥＤ組立品４４ｄ、を有する。第２のＬＥＤ組立品４４ｄは、ノード４５を通じて第１のＬＥＤ組立品４３ｄに直列に結合され、ノード４５は、第１のＬＥＤ組立品４３ｄのカソードを第２のＬＥＤ組立品４４ｄのアノードに接続する。第１のＬＥＤ組立品４３ｄ及び第２のＬＥＤ組立品４４ｄの直列接続は、ＬＥＤ照明装置４２の入力端子４１ａ、４１ｂの間に結合される。第１のＬＥＤ組立品４３ｄ及び第２のＬＥＤ組立品４４ｄの各々又は少なくとも１つは、互いに接続されてＬＥＤの列を形成する１つより多いＬＥＤを有し、第１のＬＥＤ組立品４３ｄのＬＥＤは第１の種類であり、第２のＬＥＤ組立品４４ｄのＬＥＤは第２の種類である。第１の種類のＬＥＤは、第１の種類のＬＥＤの接合温度の関数として変化する第１の光束出力を有し、第２の種類のＬＥＤは、第２の種類のＬＥＤの接合温度の関数として変化する第２の光束出力を有し、第２の種類のＬＥＤの接合温度の関数は、第１の種類のＬＥＤの接合温度の関数である第１の種類のＬＥＤの第１の光束出力と異なる。
【００５０】
第１のＬＥＤ組立品４３ｄのＬＥＤの各々は、それぞれ概ね破線で示された抵抗器組立品４６ａ、．．．、４６ｂに並列に結合される。したがって、（第１の）抵抗器組立品４６ａは、一実施形態では単一の抵抗器４７ａを有するが、複数の抵抗器（又は抵抗器網）を有してもよく、一端が入力端子４１ａと結合される。（最後の）抵抗器組立品４６ｂは、一実施形態では単一の抵抗器４７ａを有するが、複数の抵抗器（又は抵抗器網）を有してもよく、一端がノード４５と結合される。
【００５１】
第２のＬＥＤ組立品４４ｄのＬＥＤの各々は、それぞれ概ね破線で示された抵抗器組立品４８ａ、．．．、４８ｂに並列に結合される。したがって、（第１の）抵抗器組立品４８ａは、一実施形態では単一の抵抗器４９ａを有するが、複数の抵抗器（又は抵抗器網）を有してもよく、一端が入力端子４１ｂと結合される。（最後の）抵抗器組立品４８ｂは、一実施形態では単一の抵抗器４９ａを有するが、複数の抵抗器（又は抵抗器網）を有してもよく、一端がノード４５と結合される。
【００５２】
図５Ａ、５Ｂ、５Ｃ及び５Ｄに示された照明装置４２の実施形態では、第１のＬＥＤ組立品４３ａ、４３ｂ、４３ｃ及び４３ｄのＬＥＤは、それぞれ、第１のレートで増大する接合温度と共に減少する光束出力を有し、第２のＬＥＤ組立品４４ａ、４４ｂ、４４ｃ及び４４ｄのＬＥＤは、それぞれ、第２のレートで増大する接合温度と共に減少する光束出力を有し、第２のレートは第１のレートより低く、抵抗器組立品４６、４６ａ、．．．、４６ｂの抵抗値は、それぞれ、抵抗器組立品４６、４６ａ、．．．、４６ｂの温度の増大に伴い増大して、所定の範囲内で、第１のＬＥＤ組立品及び第２のＬＥＤ組立品の異なる接合温度における、第１のＬＥＤ組立品４３ａ、４３ｂ、４３ｃ及び４３ｄそれぞれの光束出力の第２のＬＥＤ組立品４４ａ、４４ｂ、４４ｃ及び４４ｄそれぞれの光束出力に対する比を安定化するようにする。第１のＬＥＤ組立品４３ａ、４３ｂ、４３ｃ及び４３ｄそれぞれ並びに第２のＬＥＤ組立品４４ａ、４４ｂ、４４ｃ及び４４ｄそれぞれの接合温度が上昇すると、抵抗器組立品４６、４６ａ、．．．、４６ｂそれぞれ並びに抵抗器組立品４８、４８ａ、．．．、４８ｂの温度も上昇する。その結果として、抵抗器組立品４６、４６ａ、．．．、４６ｂそれぞれの抵抗値は増大し、第１のＬＥＤ組立品４３ａ、４３ｂ、４３ｃ及び４３ｄそれぞれの電流が相対的に多くなり、第１のＬＥＤ組立品４３ａ、４３ｂ、４３ｃ及び４３ｄそれぞれの光束出力の増大（実際には、抵抗器組立品が無い場合よりも少ない減少）をもたらす。一方で、第１のＬＥＤ組立品４３ａ、４３ｂ、４３ｃ及び４３ｄそれぞれに結合された抵抗器組立品４６、４６ａ、．．．、４６ｂそれぞれを流れる電流は減る。また、抵抗器組立品４８、４８ａ、．．．、４８ｂそれぞれの抵抗値は減少し、第２のＬＥＤ組立品４４ａ、４４ｂ、４４ｃ及び４４ｄそれぞれを流れる電流が相対的に少なくなり、第２のＬＥＤ組立品４４ａ、４４ｂ、４４ｃ及び４４ｄそれぞれの光束出力の減少（実際には、抵抗器組立品が無い場合よりも少ない増大）をもたらす。一方で、第２のＬＥＤ組立品４４ａ、４４ｂ、４４ｃ及び４４ｄそれぞれに結合された抵抗器組立品４８、４８ａ、．．．、４８ｂそれぞれを流れる電流は増える。
【００５３】
図５Ｃに示された照明装置４２内の第１の抵抗器組立品４６及び第２の抵抗器組立品４８のような第１の抵抗器組立品及び第２の抵抗器組立品の温度依存性を決定する設計方法の一例として、以下の指針は、望ましい結果をもたらす。
【００５４】
目的は、第１のＬＥＤ組立品４３ｃと第２のＬＥＤ組立品４４ｃとの間の光束比を一定に保つことである。第１のＬＥＤ組立品と第２のＬＥＤ組立品の各々の光束は、公称値と、温度及び電流依存性とにより記述できる。
【００５５】
【数１】
2013522819.tif 000003
ここで、φｉはｉ番目のＬＥＤ組立品の全光束である。添え字０は、公称値を示し、ΔＴｉ＝Ｔｉ−Ｔｉ，０である。温度Ｔｉは、ｉ番目のＬＥＤ組立品のＬＥＤの（平均）接合温度を表す。関数ｆは、ｉ番目のＬＥＤ組立品のＬＥＤの光束の挙動を温度と電流の関数として記述する関数である。
【００５６】
本発明によると、第１及び第２のＬＥＤ組立品のＬＥＤの平均光束出力の間の光束比は、一定（Ｃ）に保たれるべきである。
【００５７】
【数２】
2013522819.tif 000004
これは、Ｉ１がＩ２及びΔＴの関数である明示的な関係を与える。さらに、各ＬＥＤ組立品の全電流Ｉｔｏｔについて、次の単純な関係が保たれる。
【００５８】
【数３】
2013522819.tif 000005
定義より、ＬＥＤ組立品に係る電圧Ｖｆ，ｉはＩＲ，ｉ＊Ｒ（ΔＴ）ｉに等しい。ここで、Ｖｆ，ｉはｉ番目のＬＥＤ組立品にかかる電圧であり、Ｒ（ΔＴＲ，ｉ）ｉはｉ番目のＬＥＤ組立品と並列の回路の温度に依存する抵抗値であり、ΔＴＲ，ｉはｉ番目のＬＥＤ組立品と並列の抵抗器組立品における温度である。
【００５９】
通常、温度は、熱抵抗値Ｒｔｈの相関行列によって次のように関連付けられる。
【００６０】
【数４】
2013522819.tif 000006
ここで、ＰＬＥＤ，ｉはｉ番目のＬＥＤ組立品の消散した熱であり、ＰＲ，ｉはｉ番目の抵抗器組立品の消散した熱である。熱抵抗値Ｒｔｈの値は、テスト設定中に全て決定できる。最後の式は、次の通りである。
【００６１】
【数５】
2013522819.tif 000007
ここで、ｇｉはＬＥＤの順方向電圧を電流Ｉ及び温度Ｔの関数として記述する関数である。
【００６２】
最後のステップは、特定の温度におけるＬＥＤ組立品の１つを流れる電流を定めること、及び全電流を定めることである。式の全体系は、繰り返しにより解くことができる。抵抗器組立品の１つの温度挙動が設定されると、一意の解が見付かる。
【００６３】
上述のように、本発明によると、照明装置は、直列に結合された複数のＬＥＤを有する。照明装置では、第１のＬＥＤ組立品は、第１の種類のＬＥＤの接合温度の第１の関数に応じて減少する第１の光束出力を有する第１の種類のＬＥＤを含む。第２のＬＥＤ組立品は、第２の種類のＬＥＤの接合温度の第２の関数に応じて減少する第２の光束出力を有する第２の種類のＬＥＤを含み、第２の関数は、第１の関数と異なる。第１の種類のＬＥＤ及び第２の種類のＬＥＤの少なくとも１つは、温度に依存する抵抗値を有する抵抗器組立品に並列に結合される。抵抗値の温度依存性は、第１のＬＥＤ組立品及び第２のＬＥＤ組立品の異なる接合温度における、第１の光束出力の第２の光束出力に対する比を安定化させる。
【００６４】
本発明の照明装置は、２つの異なる種類のＬＥＤ組立品を参照することにより説明された。しかしながら、照明装置は、第１の種類及び第２の種類と異なる１又は複数のいかなる他の種類のＬＥＤを更に有してもよい。
【００６５】
必要に応じて本発明の詳細な実施形態が本願明細書に開示された。しかしながら、開示された実施形態は本発明の単なる例であり、種々の形式で実施されうることが理解されるべきである。したがって、本願明細書に開示された特定の構造及び機能の詳細は限定として解釈されるべきではなく、単に特許請求の範囲の基礎として、及び実質的にいかなる適切な詳細構造でも本発明を様々に実施するために当業者に教示するための代表的な基礎として解釈されるべきである。さらに、本願明細書で用いられた用語及び語句は、限定を目的とするものではなく、本発明の分かり易い説明を提供するためのものである。
【００６６】
本願明細書で用いられる単数を示す語は１又は１より多いとして定められる。本願明細書で用いられる複数を示す語は２又は２より多いとして定められる。本願明細書で用いられる別のという語は少なくとも第２の又はそれ以降として定められる。本願明細書で用いられる「有する」（「including」及び／又は「having」）の語は、有する（「comprising」）（つまり、広義の語であり、他の要素又は段階を排除しない）として定められる。請求項中のいかなる参照符号も請求の範囲又は本発明の範囲を制限するものと考えられるべきではない。
【００６７】
特定の量が相互に異なる従属請求項に記載されるという事実は、これらの量の組合せが有利に用いることが出来ないことを示すものではない。
【図１】
2013522819.tif 000008
【図２】
2013522819.tif 000009
【図３】
2013522819.tif 000010
【図４ａ】
2013522819.tif 000011
【図４ｂ】
2013522819.tif 000012
【図４ｃ】
2013522819.tif 000013
【図４ｄ】
2013522819.tif 000014
【図５ａ】
2013522819.tif 000015
【図５ｂ】
2013522819.tif 000016
【図５ｃ】
2013522819.tif 000017
【図５ｄ】
2013522819.tif 000018
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
複数の発光ダイオードＬＥＤを有する照明装置であって、当該照明装置は：
第１の種類のＬＥＤの接合温度の関数として変化する第１の光束出力を有する少なくとも１つの前記第１の種類のＬＥＤを含む第１のＬＥＤ組立品；
第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品；
を有し、
前記第１のＬＥＤ組立品は前記第２のＬＥＤ組立品に直列に結合され、前記第１の種類のＬＥＤ及び前記第２の種類のＬＥＤの少なくとも１つは、温度に依存する抵抗値を有する抵抗器組立品に並列に接続され、
前記抵抗値の温度依存性は、所定の範囲内で、前記第１のＬＥＤ組立品及び前記第２のＬＥＤ組立品の異なる接合温度において、前記第１の光束出力の前記第２の光束出力に対する比を安定化させるよう適応されることを特徴とする、照明装置。
【請求項２】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、前記第１の抵抗器組立品は、前記第１のＬＥＤ組立品の少なくとも１つのＬＥＤに並列に結合され、前記第１の抵抗器組立品の抵抗値は、前記第１の抵抗器組立品の温度の上昇に伴い増大する、請求項１に記載の照明装置。
【請求項３】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、前記第２の抵抗器組立品は、前記第２のＬＥＤ組立品の少なくとも１つのＬＥＤに並列に結合され、前記第２の抵抗器組立品の抵抗値は、前記第２の抵抗器組立品の温度の上昇に伴い減少する、請求項１に記載の照明装置。
【請求項４】
前記第１の光束出力は、前記第１のＬＥＤ組立品の接合温度が第１のレートで上昇するのに伴い減少し、前記第２の光束出力は、前記第２のＬＥＤ組立品の接合温度が前記第１のレートより低い第２のレートで上昇するのに伴い減少し、第１の抵抗器組立品は、前記第１のＬＥＤ組立品の少なくとも１つのＬＥＤに並列に結合され、第２の抵抗器組立品は、前記第２のＬＥＤ組立品の少なくとも１つのＬＥＤに並列に結合され、前記第１の抵抗器組立品の抵抗値は、前記第１の抵抗器組立品の温度の上昇に伴い増大し、前記第２の抵抗器組立品の抵抗値は、前記第２の抵抗器組立品の温度の上昇に伴い減少する、請求項１に記載の照明装置。
【請求項５】
前記第１の抵抗器組立品は、正の温度係数ＰＴＣの抵抗器を有する、請求項２又は４に記載の照明装置。
【請求項６】
前記第２の抵抗器組立品は、負の温度係数ＮＴＣの抵抗器を有する、請求項３又は４に記載の照明装置。
【請求項７】
前記第１の種類のＬＥＤは、第１の色を有する光を生成するよう適応され、前記第２の種類のＬＥＤは、前記第１の色と異なる第２の色を有する光を生成するよう適応される、請求項１乃至６のいずれか一項に記載の照明装置。
【請求項８】
前記抵抗器組立品と、前記抵抗器組立品に並列に結合された前記第１の種類のＬＥＤ及び前記第２の種類のＬＥＤの少なくとも１つとは、熱的に結合される、請求項１乃至７のいずれか一項に記載の照明装置。
【請求項９】
前記第１のＬＥＤ組立品及び前記第２のＬＥＤ組立品の接合は、熱的に結合される、請求項１乃至８のいずれか一項に記載の照明装置。
【請求項１０】
前記第１の種類のＬＥＤは、ＡｌＩｎＧａＰ型ＬＥＤである、請求項１乃至９のいずれか一項に記載の照明装置。
【請求項１１】
前記第１の種類のＬＥＤは、ＩｎＧａＮ型ＬＥＤである、請求項１乃至１０のいずれか一項に記載の照明装置。
【請求項１２】
複数の発光ダイオードＬＥＤを有する照明装置の製造方法であって、当該方法は：
第１の種類のＬＥＤの接合温度の関数として変化する第１の光束出力を有する少なくとも１つの前記第１の種類のＬＥＤを含む第１のＬＥＤ組立品を設けるステップ；
第２の種類のＬＥＤの接合温度の関数として変化する第２の光束出力を有する少なくとも１つの前記第２の種類のＬＥＤを含む第２のＬＥＤ組立品であって、前記第２の光束出力は前記第１の種類のＬＥＤの接合温度の関数である前記第１の光束出力とことなる、第２のＬＥＤ組立品を設けるステップ；
前記第１のＬＥＤ組立品を前記第２のＬＥＤ組立品に直列に結合するステップ；
前記第１の種類のＬＥＤ及び前記第２の種類のＬＥＤの少なくとも１つを、温度に依存する抵抗値を有する抵抗器組立品に並列に接続するステップ；
を有し、
所定の範囲内で、前記第１のＬＥＤ組立品及び前記第２のＬＥＤ組立品の異なる接合温度において、前記第１の光束出力の前記第２の光束出力に対する比を安定化させるよう前記抵抗値の温度依存性を適応することを特徴とする、方法。
【請求項１３】
部品の点灯キットであって：
電源に結合されるよう適応された入力端子を有する調光器であって、前記調光器は、可変電流を供給するよう適応された出力端子を有する、調光器；
請求項１乃至１１のいずれか一項に記載の照明装置であって、前記照明装置は、前記調光器の前記出力端子に結合されるよう構成された端子を有する、照明装置；
を有する部品の点灯キット。
【手続補正２】
【補正対象書類名】明細書
【補正対象項目名】０００５
【補正方法】変更
【補正の内容】
【０００５】
この問題の解決策は、通常、少なくとも１つ又は幾つかのＬＥＤへの供給電力の電気量を制御して、異なる種類のＬＥＤから出力される光束出力の比を、温度センサにより測定された異なる接合温度において実質的に一定に保つことにより、照明装置により出力される光の色を所定の範囲内に維持するために、温度センサとマイクロプロセッサとを有するフィードバックループを提案する。
国際公開第２００４／０４７４９８号パンフレットは、多数のＬＥＤを有する照明機構を開示している。ダイオードを流れる電流を温度の関数として制御するために、１又は複数の温度補償回路が、対応する数の直列接続されたＬＥＤに接続される。
【国際調査報告】
2013522819.tif 000019
2013522819.tif 000020